(57)【特許請求の範囲】
【請求項１】
複数種類の送風設定に応じて運転する空気調和機の制御装置であって、
前記送風設定に関する表示をする送風設定表示領域を少なくとも有する表示手段と、
前記送風設定の設定操作が検出された場合に、前記送風設定表示領域における表示内容を設定操作された送風設定に関する表示に切り換える制御手段と、を備え、
前記表示手段は、前記送風設定に関する表示として、前記送風設定の種類毎にデザインの異なる空気調和機を模した本体表示像と前記送風設定の状態を示す指標部とを少なくとも表示することを特徴とする空気調和機の制御装置。
【請求項２】
前記制御手段は、前記送風設定の設定操作が検出されずに所定時間が経過した場合に、前記表示手段の前記送風設定表示領域に前記各送風設定に関する表示を順次切り換えて表示させることを特徴とする請求項１に記載の空気調和機の制御装置。
【請求項３】
複数種類の送風設定に応じて運転する空気調和機の制御装置であって、
前記送風設定に関する表示をする送風設定表示領域を少なくとも有する表示手段と、
前記送風設定の設定操作が検出された場合に、前記送風設定表示領域における表示内容を設定操作された送風設定に関する表示に切り換える制御手段と、を備え、
前記制御手段は、前記送風設定の設定操作が検出されずに所定時間が経過した場合に、前記表示手段の前記送風設定表示領域に前記各送風設定に関する表示を順次切り換えて表示させることを特徴とする空気調和機の制御装置。
【請求項４】
前記送風設定として、送風左右方向設定，送風上下方向設定及び風速設定のうちの複数を有することを特徴とする請求項１または請求項３に記載の空気調和機の制御装置。
【請求項５】
前記表示手段は、ドットマトリクス型の表示素子を備えてなることを特徴とする請求項１または請求項３に記載の空気調和機の制御装置。
【発明の詳細な説明】
【技術分野】
【０００１】
本発明は、空気調和機の制御装置に関し、特に、表示内容を自由に変更可能な表示手段を備える空気調和機の制御装置に関するものである。
【背景技術】
【０００２】
従来より、空気調和機の制御装置は、冷房運転，暖房運転，除湿運転あるいは加湿運転等の運転機能の切換や、設定温度や設定湿度などの設定を行うものであり、そのうち、送風に関する設定（以下、送風設定という）として、送風の左右方向，送風の上下方向あるいは送風の強さ（風速）などの設定を行う。また、かかる空気調和機の制御装置は、近年では運転状態や設定値の各種表示を行う表示手段を備えることが一般的であり、利用者は前記表示手段によって空気調和機の設定の状況を確認しながら運転機能等の切り換えを行うことができる（例えば特許文献１参照）。
【０００３】
図３は、空気調和機の制御装置に備えられる表示手段の表示の一例を示すものである。表示手段１０には、前記送風設定の設定状態をユーザーがイメージしやすいように、空気調和機を模した各本体表示像１１ａ〜１１ｃとともに前記送風設定の状態を示す各指標部１２ａ〜１２ｃを表示する場合が多く、前記送風設定の種類に応じて、それぞれ独立した特定の表示位置に各本体表示像１１ａ〜１１ｃ及び指標部１２ａ〜１２ｃが表示されるものであった。
【特許文献１】特開平５−１１８６２８号公報
【発明の開示】
【発明が解決しようとする課題】
【０００４】
しかしながら、従来の空気調和機の制御装置においては、前記各送風設定別に表示領域を有しそれらを常時並べて表示するため、各表示の大きさが小さくなり、また、類似の表示が混在し、ユーザーにとって設定操作時に表示が見難く、設定変更が有効になされたか否かを確認するのに利便性を欠くという問題点があった。
【０００５】
本発明は、この問題点に鑑みてなされたものであり、送風設定の設定操作をする際の視認性及び利便性を向上させることが可能な空気調和機の制御装置を提供することを目的とする。
【課題を解決するための手段】
【０００６】
本発明は、前記課題を解決するため、複数種類の送風設定に応じて運転する空気調和機の制御装置であって、前記送風設定に関する表示をする送風設定表示領域を少なくとも有する表示手段と、前記送風設定の設定操作が検出された場合に、前記送風設定表示領域における表示内容を設定操作された送風設定に関する表示に切り換える制御手段と、を備え、前記表示手段は、前記送風設定に関する表示として、前記送風設定の種類毎にデザインの異なる空気調和機を模した本体表示像と前記送風設定の状態を示す指標部とを少なくとも表示することを特徴とする。
【０００７】
また、前記制御手段は、前記送風設定の設定操作が検出されずに所定時間が経過した場合に、前記表示手段の前記送風設定表示領域に前記各送風設定に関する表示を順次切り換えて表示させることを特徴とする。
【０００８】
本発明は、前記課題を解決するため、複数種類の送風設定に応じて運転する空気調和機の制御装置であって、前記送風設定に関する表示をする送風設定表示領域を少なくとも有する表示手段と、前記送風設定の設定操作が検出された場合に、前記送風設定表示領域における表示内容を設定操作された送風設定に関する表示に切り換える制御手段と、を備え、前記制御手段は、前記送風設定の設定操作が検出されずに所定時間が経過した場合に、前記表示手段の前記送風設定表示領域に前記各送風設定に関する表示を順次切り換えて表示させることを特徴とする。
【０００９】
また、前記送風設定として、送風左右方向設定，送風上下方向設定及び風速設定のうちの複数を有することを特徴とする。
【００１０】
また、前記表示手段は、ドットマトリクス型の表示素子を備えてなることを特徴とする。
【発明の効果】
【００１１】
本発明は、空気調和機の制御装置に関するものであって、送風設定の設定操作をする際の視認性及び利便性を向上させることが可能となる。
【発明を実施するための最良の形態】
【００１２】
以下、添付図面に基づいて、本発明の実施形態を説明する。
【００１３】
リモートコントローラ（制御装置）１は、キー入力手段２と、制御手段３と、記憶部４と、送受信手段５と、表示手段６を有し、制御信号を送信して空気調和機Ａの運転を制御するものである。
【００１４】
キー入力手段２は、例えば押しボタンスイッチ等からなり、空気調和機Ａの制御に関する各種操作を行うものである。また、キー入力手段２は、本実施形態においては、特に送風左右方向設定，送風上下方向設定及び風速設定を含む送風設定の設定操作を行うものである。
【００１５】
制御手段３は、主にマイクロコンピュータによって構成されるものであり、所定のプログラムを実行するためのＣＰＵと、前記プログラムが記憶されたＲＯＭと、演算結果等を一時的に記憶するＲＡＭと、空気調和機Ａの運転を制御するために制御信号を出力するための駆動回路と、キー入力手段２からの操作信号を入力するためのインターフェイス部等を有している。また、制御手段３は、所定条件に応じて前記各送風設定に関する表示を表示手段６に切り換えて表示させる。
【００１６】
記憶部４は、前記各送風設定に応じたデザインの異なる表示像及び指標部等の各種データを不揮発的に記録するものであり、例えばＥＥＰＲＯＭからなる。
【００１７】
送受信手段５は、赤外線発光ダイオード及び赤外線センサ等を備え、制御手段３の前記制御信号を赤外線送信信号により空気調和機Ａに送信し、また、空気調和機Ａからの赤外線送信信号を受信するものである。
【００１８】
表示手段６は、表示素子として例えばドットマトリクス型の液晶表示素子を備えるものであり、その表示内容をドット表示によって自由に変更することができるものが用いられる。また、表示手段６は、前記各送風設定に関する表示を切り換えて表示する単一の送風設定表示領域を有する。
【００１９】
次に、表示手段６の表示例について説明する。なお、図２においては表示手段６の前記送風設定表示領域のみを図示している。
【００２０】
図２（ａ）は、前記各種送風設定のうち前記送風左右方向設定に関する表示がされる場合の表示例を示している。なお、前記送風左右方向設定は、空気調和機Ａから送り出される風の横方向を決定する設定機能である。７ａは、前記送風左右方向設定に対応する空気調和機Ａを模した本体表示像である。８ａは、前記送風左右方向設定における設定状態、すなわち、空気調和機Ａから送り出される風の横方向の設定状態を示す左右方向指標部である。左右方向指標部８ａは、異なる方向を示す複数の矢印マークからなり、表示される矢印マークによって送風の左右方向の設定状態を示すものである。なお、左右方向指標部８ａは、「自動」などの文字を含むものであってもよい。
【００２１】
図２（ｂ）は、前記各種送風設定のうち前記送風上下方向設定に関する表示がされる場合の表示例を示している。なお、前記送風上下方向設定は、空気調和機Ａから送り出される風の縦方向を決定する設定機能である。７ｂは、前記送風上下方向設定に対応する空気調和機Ａを模した本体表示像である。８ｂは、前記送風上下方向設定における設定状態、すなわち、空気調和機Ａから送り出される風の横方向の設定状態を示す上下方向指標部である。上下方向指標部８ｂは、異なる方向を示す複数の矢印マークからなり、表示される矢印マークによって送風の上下方向の設定状態を示すものである。なお、上下方向指標部８ｂは、「自動」、「スイング」などの文字を含むものであってもよい。
【００２２】
図２（ｃ）は、前記各種送風設定の前記風速設定の設定状態が表示される場合の表示例を示している。なお、前記風速設定は、空気調和機Ａから送り出される風の速度を決定する設定機能である。７ｃは、前記風速設定に対応する空気調和機Ａを模した本体表示像である。８ｃは、前記風速設定における設定状態、すなわち、空気調和機Ａから送り出される風の速度の設定状態を示す風速指標部である。風速指標部８ｃは、複数のマークからなり、表示されるマークの数によって風速の設定状態を示すものである。なお、風速指標部８ｃは、「自動」などの文字を含むものであってもよい。
【００２３】
制御手段３は、キー入力手段２から空気調和機Ａの前記送風設定の設定操作を検出すると、表示手段６の前記送風設定表示領域の表示内容を設定操作がされた前記送風設定に関する表示に切り換えさせる。なお、設定操作の検出は、空気調和機Ａからのアンサーバック信号を検出するものであってもよい。すなわち、制御手段３は、前記送風左右方向設定の設定操作を検出した場合は、表示手段６に前記送風左右方向に関する本体表示像７ａ及び左右方向指標部８ａを表示させる。また、制御手段３は、前記送風上下方向設定の設定操作を検出した場合は、表示手段６に前記送風上下方向設定に関する本体表示像７ｂ及び上下方向指標部８ｂを表示させる。また、制御手段３は、前記風速設定の設定操作を検出した場合は、表示手段６に前記風速設定に関する本体表示像７ｃ及び風速指標部８ｃを表示させる。なお、各本体表示像７ａ〜７ｃは、それぞれデザインが異なるものであり、ユーザーは本体表示像７ａ〜７ｃによって表示手段６に表示される前記送風設定の種類を瞬時に判断することができる。なお、「デザインが異なる」とは、それぞれの表示像７ａ〜７ｃが混同されないものであればよく、形状の他に色等が異なるものであってもよい。
【００２４】
また、制御手段３は、前記条件として前記送風設定の設定操作を検出せずに所定時間経過した場合、前記各送風設定に関する表示、すなわち前記各送風設定に対応する各本体表示像７ａ〜７ｃ及び各指標部８ａ〜８ｃを順次切り換えて表示手段６に表示させる。本実施形態においては、前記送風左右方向設定に関する表示（本体表示像７ａ及び左右方向指標部８ａの表示）、前記送風上下方向設定に関する表示（本体表示像７ｂ及び上下方向指標部８ｂの表示）、前記風速設定に関する表示（本体表示像７ｃ及び風速指標部８ｃの表示）の順に一定時間毎に表示手段６の前記送風設定表示領域の表示内容が切り換えられる。
【００２５】
かかるリモートコントローラ１は、複数種類の送風設定でその状態を表示する単一の表示領域である前記送風設定表示領域を共有し、前記送風設定の設定操作が検出された場合に、前記送風設定表示領域における表示内容を設定操作された前記送風設定に関する表示に切り換えるものである。したがって、前記送風設定別にそれぞれ表示領域を設ける必要がないことから前記送風設定に関する表示を大きくすることができるため、前記送風設定を設定操作する際の視認性が向上する。また、設定操作をした前記送風設定に関する表示のみが大きく表示されるため利用者は設定の変更を確認しやすくなり、前記送風設定を設定操作する際の利便性が向上する。さらに、前記送風設定に関する表示として、前記各種送風設定に応じたデザインの異なる本体表示像７ａ〜７ｃを各指標部８ａ〜８ｃとともに表示手段６に表示することによって、本体表示像７ａ〜７ｃのデザインから表示の切り換えがされた際に表示される前記送風設定の種類を利用者が瞬時に判別することができ、前記送風設定を設定操作する際の利便性を向上させることができる。さらに、前記送風設定の設定操作が検出されずに所定時間が経過した場合に、表示手段６の前記送風設定表示領域に前記各送風設定に関する表示を順次切り換えて表示させることによって、前記送風設定の設定操作がされない場合であっても、利用者が前記各送付設定の状態を大きな表示で視認することができ、視認性を向上させることができる。
【００２６】
なお、本実施形態においては、空気調和機の制御装置は、空気調和機Ａと別体に設けられるリモートコントローラ１であったが、本発明の制御装置は、空気調和機と一体的に設けられる操作パネルであってもよい。
【図面の簡単な説明】
【００２７】
【図１】本発明の実施形態である空気調和機の制御装置の電気的構成を示すブロック図。
【図２】同上の表示手段の表示例を示す図。
【図３】従来の空気調和機の制御装置における表示手段の表示例を示す図。
【符号の説明】
【００２８】
１  リモートコントローラ（制御装置）
２  キー入力手段
３  制御手段
４  記憶部
５  送受信手段
６  表示手段
７ａ〜７ｃ  本体表示像（表示像）
８ａ  左右方向指標部（指標部）
８ｂ  上下方向指標部（指標部）
８ｃ  風速指標部（指標部）
【図１】
0005168457.tif 000002
【図２】
0005168457.tif 000003
【図３】
0005168457.tif 000004